(57)【要約】  本発明はヘアトリートメントアプリケータ（１）に関し、このアプリケータは、このアプリケータ（１）が閉じた状態と開いた状態との間をとり得るように、接続部（３０）によって可動に連結されたプレート（１０）、及び収容部（２０）を含む。連続的であり、かつ液体不透過性である、少なくとも１つの部材（４０）が、プレート（１０）の、実質的に平坦な内部表面（１０１）から突出し、これによってこの部材が、この収容部分（２０）の内部で毛髪ストランドを１つの角度で曲げ、この角度は約１５°〜５５°である。本発明によるヘアトリートメントアプリケータは、ヘアトリートメント組成物の、毛髪への、特に毛髪ストランド、及びより好ましくは毛髪ストランドの束への、正確で、乱雑でなく、均一な適用を可能にする。
2010529875.tif 000002
【特許請求の範囲】
【請求項１】
ヘアトリートメント組成物を毛髪に適用するためのヘアトリートメントアプリケータ（１）であって、前記アプリケータ（１）は、
プレート（１０）と、
収容部分（２０）と、を含み、
前記プレート（１０）は、周囲部（１０３）、実質的に平坦な内部表面（１０１）、及び外部表面（１０２）を含み、前記プレート（１０）は、少なくとも１つの部材（４０）を含み、該部材（４０）は、前記実質的に平坦な内部表面（１０１）から突出し、前記部材（４０）は、連続的であり、かつ液体不透過性であり、前記部材（４０）は、近位基部（４１）及び末端基部（４２）を有し、前記近位基部（４１）は、前記プレート（１０）の前記実質的に平坦な内部表面（１０１）に取り付けられ、前記末端基部（４２）は縁部（４４）を含み、
前記収容部分（２０）は、
基部（２０１）及び壁（２０２）を含み、該壁（２０２）は、前記基部（２０１）から始まって上方に延び、
前記壁（２０２）は、リム（２２２）を有し、該リム（２２２）は、前記収容部分（２０）の開口部（２０３）及び内部容量（２０４）を画定し、
前記プレート（１０）及び前記収容部分（２０）は、前記アプリケータ（１）が閉じた状態と開いた状態との間をとり得るように、接続部（３０）によって可動に連結され、前記アプリケータ（１）が閉じた状態にある場合、前記プレート（１０）の前記実質的に平坦な内部表面（１０１）は、前記収容部分（２０）の前記開口部（２０３）と並置関係にあり、前記アプリケータ（１）が開いた状態にあるとき、前記プレート（１０）の前記実質的に平坦な内部表面（１０１）は、前記収容部分（２０）の前記開口部（２０３）と遠位の関係にあり、
前記ヘアトリートメントアプリケータ（１）が前記閉じた状態にあるとき、前記部材（４０）の少なくとも一部が、前記収容部分（２０）の前記内部容量（２０４）の内部にある、ヘアトリートメントアプリケータ（１）。
【請求項２】
前記プレート（１０）の前記実質的に平坦な内部表面（１０１）は、軸Ｙを含み、該軸Ｙは、前記プレート（１０）の前記実質的に平坦な内部表面（１０１）の中央から実質的に真っ直ぐに延びて、前記接続部（３０）を横断方向に横切り、前記部材（４０）は、最大長さ（Ｌ）、最大高さ（Ｈ）、及び最大幅（Ｗ）を有し、好ましくは前記部材（４０）は、前記プレート（１０）の前記実質的に平坦な内部表面（１０１）から、前記最大高さ（Ｈ）で、前記軸Ｙと垂直に突出し、前記部材（４０）は、前記プレート（１０）の前記実質的に平坦な内部表面（１０１）に沿って、前記最大長さ（Ｌ）及び前記最大幅（Ｗ）で延びる、請求項１に記載のアプリケータ（１）。
【請求項３】
前記部材（４０）が、前記軸Ｙに沿って、及び／又は前記軸Ｙと実質的に平行に延びる、請求項２に記載のアプリケータ（１）。
【請求項４】
前記アプリケータ（１）が閉じた状態にある場合、前記プレート（１０）の前記実質的に平坦な内部表面（１０１）と、前記収容部分（２０）の前記壁（２０２）の前記リム（２２２）との間の平均距離（Ｄ１）は、０．５ｍｍ〜５．０ｍｍ、好ましくは、０．８ｍｍ〜４．０ｍｍ、より好ましくは１．０ｍｍ〜３．０ｍｍである、請求項１〜３のいずれか一項に記載のアプリケータ（１）。
【請求項５】
前記アプリケータ（１）が、その上に前記壁（２０２）の前記リム（２２２）が位置する平面（Ｐ１）を含み、前記アプリケータ（１）が閉じた状態にある場合、前記アプリケータ（１）は、少なくとも１つの区分（Ｓ１）を更に含み、該区分（Ｓ１）は、前記部材（４０）の前記末端基部（４２）の縁部（４４）、及び前記収容部分（２０）の前記壁（２０２）の前記リム（２２２）によって形成され、前記平面（Ｐ１）及び前記区分（Ｓ１）は、１５°〜５５°、好ましくは２０°〜５０°、より好ましくは２５°〜４０°である、少なくとも１つの角度φを形成する、請求項１〜４のいずれか一項に記載のアプリケータ（１）。
【請求項６】
前記部材（４０）が、角錐台の形状を有する、請求項１〜５のいずれか一項に記載のアプリケータ（１）。
【請求項７】
前記縁部（４４）が曲線状である、請求項１〜６のいずれか一項に記載のアプリケータ（１）。
【請求項８】
前記プレート（１０）の前記周囲部（１０３）が、前記収容部分（２０）の前記壁（２０２）の前記リム（２２２）と、実質的に同じ広がりを有する、請求項１〜７のいずれか一項に記載のアプリケータ（１）。
【請求項９】
前記接続部（３０）は、支点（３５）を有し、該支点（３５）は、前記プレート（１０）の前記周囲部（１０３）、及び前記収容部分（２０）の前記リム（２２２）に隣接して位置する、請求項１〜８のいずれか一項に記載のアプリケータ（１）。
【請求項１０】
請求項１〜９のいずれか一項に記載のヘアトリートメントアプリケータ（１）に、毛髪ストランド、好ましくは毛髪ストランドの束を接触させる、毛髪を処理する方法。
【請求項１１】
１つ以上のヘアトリートメント組成物が、前記アプリケータ（１）に充填され、前記アプリケータ（１）が、開いた状態で、前記毛髪ストランドの根元ラインに、好ましくは前記毛髪ストランドの束の根元ラインに位置付けられ、続いて閉じた状態にされ、その状態で、前記アプリケータ（１）が前記毛髪ストランドの長さに沿って引かれる、請求項１０に記載の方法。
【請求項１２】
請求項１〜９のいずれか一項に記載のヘアトリートメントアプリケータ（１）と、１つ以上の個別に包装されたヘアトリートメント組成物とを含む、キット。
【請求項１３】
前記１つ以上の個別に包装されたヘアトリートメント組成物が、少なくとも第１及び第２の個別に包装されたヘアトリートメント組成物を含み、該第１及び第２の個別に包装されたヘアトリートメント組成物は、混合されて第３のヘアトリートメント組成物を形成し、前記第１の個別に包装されたヘアトリートメント組成物は、酸化剤を含み、前記第２の個別に包装されたヘアトリートメント組成物は、アルカリ化剤を含む、請求項１２に記載のキット。
【請求項１４】
前記ヘアトリートメントアプリケータ（１）を使用するための取扱説明書を更に含む、請求項１２又は１３に記載のキット。
【請求項１５】
毛髪ストランドに効果を提供するための、請求項１〜９のいずれか一項に記載のヘアトリートメントアプリケータ（１）での、１つ以上のヘアトリートメント組成物又はこれらの組み合わせの使用。
【請求項１６】
前記１つ以上のヘアトリートメント組成物が、１ｓ-1で１０Ｐａ〜１６０Ｐａ、好ましくは１２Ｐａ〜１２０Ｐａのレオロジーを有する、請求項１５に記載の使用。
【請求項１７】
毛髪ストランド、好ましくは毛髪ストランドの束をハイライトするための、請求項１〜９のいずれか一項に記載のヘアトリートメントアプリケータ（１）での、ハイライト組成物の請求項１５又は１６に記載の使用。
【請求項１８】
前記ハイライト組成物が、１ｓ-1で、１０Ｐａ〜１６０Ｐａ、好ましくは１２Ｐａ〜１２０Ｐａのレオロジーを有する、請求項１７に記載の使用。
【請求項１９】
ヘアトリートメント組成物を毛髪ストランド、好ましくは毛髪ストランドの束に適用する、ヘアトリートメントアプリケータ（１）の使用であって、該使用は、前記毛髪ストランドを、部材（４０）を含むプレート（１０）と、収容部分（２０）との間に実質的に真っ直ぐに配置する工程と、次に前記部材（４０）で、前記毛髪ストランドを、１つの角度φで、前記収容部分（２０）の内部で曲げる工程と、を含み、前記角度φが１５°〜５５°である、ヘアトリートメントアプリケータ（１）の使用。
【発明の詳細な説明】
【技術分野】
【０００１】
本発明は、ケラチン性繊維への、美容組成物の正確で、乱雑でなく、均一な適用を可能にするアプリケータに関する。本発明によるアプリケータは、特に、毛髪ストランドに効果を提供するヘアトリートメント組成物を対象とする。
【背景技術】
【０００２】
個別の毛髪ストランドへのヘアトリートメント組成物の適用は、ユーザーが、頭部全体への適用とは異なる外観を達成することを可能にする。毛髪ストランドに効果を提供するためのヘアトリートメント組成物には、ハイライト組成物、染色組成物、パーマ組成物、スタイリング組成物、及びこれらの組み合わせが挙げられる。
【０００３】
ハイライト組成物、及び染色組成物によって提供されるものなどの毛髪ストランド効果は、所望の場所に正確に適用されなくてはならない。例えば、多すぎる量のハイライト組成物が根元に適用されると、周辺の選択されない毛髪ストランドに移動する恐れがある。これは全体的な最終結果を変えることがあり、ユーザーが作り出そうとしたパターンを完全に乱すことがある。加えて、ハイライト、及び染色組成物などのヘアトリートメント組成物は、メラニン色素を漂白するための強い酸化剤を必要とする構成成分を含む。その反応性のある化学的性質を考慮すると、ハイライト及び染色組成物のほとんどの適用は、予期せず過剰に根元ラインに供給された場合にまた、頭皮に移動することがあり、これはいくつかの場合において、不必要な皮膚の炎症に繋がる。加えて、過剰な量の製品が根元に適用された場合、着色効果は毛髪の長さに沿って一定ではなく、望ましくない視覚的効果に繋がる。代わりに、不十分な組成物が毛髪ストランドに適用された場合、毛髪ストランド効果の均一性が達成されず、視覚的に許容不可能な最終結果を生じることがある。したがって、処理される毛髪ストランドに沿って、一定量の製品が均一に適用されることが重要である。
【０００４】
毛髪ストランドにハイライトなどの効果を提供するための１つの周知の方法は、キャップ・アンド・フックシステムである。穴を備えるキャップが、頭の上に位置付けられ、毛髪ストランドが、フックで引き出される。到底正確ではなく、キャップ・アンド・フックシステムは、キャップの穴を介した毛髪ストランドの無作為な選択、及びハイライト組成物を選択された毛髪ストランドの一部のみに適用して根元部分に適用しない可能性を含む、いくつかの欠点を有する。
【０００５】
ヘアトリートメント組成物を、別々の毛髪ストランドの束に適用するために、いくつかのヘアトリートメントアプリケータが、キャップ・アンド・フックシステムの代替として、設計されてきた。これらのアプリケータは、２つの一般分野に属する。一分野は、櫛及び／又はブラシに基づくアプリケータを含む。もう一方の群は、一方が他方に関して可動である、２つの関節構造を呈する部分を有するアプリケータを含む。この後者の分野において、多くの試みが開示されてきた。米国特許第３，０３０，９６８号は、浸漬によって充填される、液体処理物質のためのアプリケータに言及する。このアプリケータは、Ｕ字型の弾力性のあるバネの脚部の端部に取り付けられる、トラフ及び毛髪案内部材を含む。バネは、手動の圧縮を可能にし、毛髪案内部材をトラフ内に適合させる。米国特許第６，０６２，２３１号は、毛髪製品を毛髪ストランドに提供するためのデバイスを開示する。このデバイスは、２つの関節構造を呈する部分を含み、浸漬によって充填される適用手段、及びデバイスの使用中に、毛髪ストランドをアプリケータ手段の上に維持するための保持部材である。別の試みが、米国特許第２００３／００２４５４４号に示され、毛髪製品のための空洞、及び弾性的に変形可能な保持部材を備えるデバイスが、開示される。保持部材は、多孔質、又は繊維性の材料を含んでもよく、空洞は、ヘアトリートメント組成物の適用中に、毛髪ストランドを適所に維持するための、少なくとも１つのノッチを備える。
【０００６】
毛髪ストランドに効果をもたらすための組成物の自己適用、特に、ハイライト及び染色のためのものは、それ自体が困難であることが、一般的に認識されている。期待される最終結果を達成するためには、ヘアトリートメント組成物の自己適用を促進することができるヘアトリートメントアプリケータが考案されて、いくつかの技術的課題に対処する必要がある。
【０００７】
第１に、ヘアトリートメントアプリケータは、周辺のストランド、又は頭皮及び皮膚に移動することなく、毛髪ストランドに効果を提供するのに十分な量のヘアトリートメント組成物を適用するべきである。
【０００８】
第２に、ヘアトリートメントアプリケータは、ユーザーがアプリケータを毛髪ストランドの束に沿って動かす間に、ヘアトリートメント組成物を適用して、それから続いて擦り落とすべきではない。
【０００９】
第３に、特にハイライト及び染色組成物は、その中に含まれる化学的性質が、ケラチン性繊維に効果を提供するために十分に長い期間適所に留まるように、配合される。ヘアトリートメントアプリケータは、したがって、典型的にゲル、クリーム、又はペーストとして配合されるヘアトリートメント組成物を容易に適用し、ユーザーが毛髪を処理する間にアプリケータから排出され、零れ落ちることを避けるように設計されるべきである。
【００１０】
第４に、全体の適用プロセスは、ヘアトリートメント組成物が不注意にヘアトリートメントアプリケータから排出されることなく、整然とした、清潔な方法で行われるべきである。
【００１１】
加えて、ヘアトリートメントアプリケータは、ヘアトリートメント組成物をアプリケータ内部に、未使用のまま又は隔離されたままにするべきではない。ヘアトリートメント組成物が視覚的に隔離されている場合、ユーザーが再充填するきっかけを強め、したがってユーザーが、デバイスが収容し得るより多くのヘアトリートメント組成物を充填するように促し、ヘアトリートメント組成物の適用中に、ユーザーにとって乱雑さの危険を増加することにつながり得る。
【００１２】
更に、ヘアトリートメントアプリケータは、別々の毛髪ストランドの束に、組成物を均一に適用するべきである。組成物が、ハイライト又は染色組成物である場合、均一性は非常に重要である。これらの組成物によってもたらされる永続的効果は、適用後、直ぐには目に見えず、結果が魅力的でない場合でも、容易に戻せない。ヘアトリートメントアプリケータはしたがって、毛髪ストランドの束の長さ及び幅に沿った、かつ同様に前側及び後側表面上の、均質なコーティングを確実にするべきである。
【００１３】
最後に、ヘアトリートメント組成物のためのアプリケータは、使用が容易であるべきであり、これは間違いなく安価で、生産が容易であるべきであり、ヘアトリートメント組成物をどのくらい、及びどこに充填すべきかなどの事柄について、いかなる特別な経験及び訓練をも必要とするべきではない。理想的には、消費者は、製造者によって提供されるいくつかの取扱指示に単に従うことによって、アプリケータを充填及び使用することができなければならない。
【先行技術文献】
【特許文献】
【００１４】
【特許文献１】米国特許第３，０３０，９６８号
【特許文献２】米国特許第６，０６２，２３１号
【特許文献３】米国特許第２００３／００２４５４４号
【発明の概要】
【発明が解決しようとする課題】
【００１５】
したがって、当該技術分野において、依然として解決されずに残るものは、上記で定義された技術的問題を克服することができる、ヘアトリートメントアプリケータである。
【００１６】
ヘアトリートメントアプリケータ（本明細書において以下に定義される）は、毛髪ストランドに効果を提供するための、ヘアトリートメント組成物の適用を著しく改善し得ることが今では見出されている。
【課題を解決するための手段】
【００１７】
本発明により、ヘアトリートメント組成物を毛髪に適用するためのヘアトリートメントアプリケータ（１）が提供され、このアプリケータ（１）はプレート（１０）及び収容部分（２０）を含み、このプレート（１０）は、周囲部（１０３）、実質的に平坦な内部表面（１０１）、及び外部表面（１０２）を含み、このプレート（１０）は少なくとも１つの部材（４０）を含み、この部材（４０）はこの実質的に平坦な内部表面（１０１）から突出し、この部材（４０）は連続的であり、かつ液体不透過性であり、この部材（４０）は近位基部（４１）及び遠位基部（４２）を有し、この近位基部（４１）はこのプレート（１０）のこの実質的に平坦な内部表面（１０１）に取り付けられ、この遠位基部（４２）は縁部（４４）を含み、この収容部分（２０）は基部（２０１）及び壁（２０２）を含み、この壁（２０２）はこの基部（２０１）から始まって上方に延び、この壁（２０２）はリム（２２２）を有し、このリム（２２２）はこの収容部分（２０）の開口部（２０３）及び内部容量（２０４）を画定し、このプレート（１０）及びこの収容部分（２０）は、このアプリケータ（１）が、閉じた状態と開いた状態との間をとり得るように、接続部（３０）によって可動に連結され、このアプリケータ（１）が閉じた状態にあるとき、このプレート（１０）のこの実質的に平坦な内部表面（１０１）は、この収容部分（２０）のこの開口部（２０３）と並置関係にあり、このアプリケータ（１）が開いた状態にあるとき、このプレート（１０）のこの実質的に平坦な内部表面（１０１）は、この収容部分（２０）のこの開口部（２０３）と遠位の関係にあり、このヘアトリートメントアプリケータ（１）が、この閉じた状態にあるとき、この部材（４０）の少なくとも一部が、この収容部分（２０）のこの内部容量（２０４）の内部にある。
【００１８】
更に、ヘアトリートメントアプリケータ（１）の手段により毛髪を処理する方法、ヘアトリートメントアプリケータ（１）を含むキット、及び毛髪ストランドに効果を提供するための、本発明によるヘアトリートメントアプリケータ（１）でのヘアトリートメント組成物の使用についてもまた記載される。
【００１９】
最後に、本発明により、ヘアトリートメント組成物を毛髪ストランド、好ましくは毛髪ストランドの束に適用するためのヘアトリートメントアプリケータ（１）の使用が提供され、この使用は、この毛髪ストランドを、部材（４０）を含むプレート（１０）と、収容部分（２０）との間に実質的に真っ直ぐに配置する工程、及び次に、この収容部分（２０）の内部において、この部材（４０）でこのヘアストランドを、角度φで曲げる工程を含み、この角度φは約１５°〜５５°である。
【図面の簡単な説明】
【００２０】
【図１】本発明によるヘアトリートメントアプリケータ（１）の一実施形態の斜視図。ヘアトリートメントアプリケータが、開いた状態で図示される。角錐台の形状を有する、液体不透過性でかつ連続的な部材（４０）を含むプレート（１０）は、接続部（３０）によって収容部分（２０）に可動に連結される。支点（３５）を含む、この接続部（３０）は、ヒンジである。この収容部分（２０）のリム（２２２）上には２つの停止機構が存在し、この実施形態では、２つの半球（４０２）、（４０３）を含む。密封手段（４０１）が、収容部分（２０）のこの内部容量（２０４）の内部の基部（２０１）上で、この壁（２０２）、及びこの接続部（３０）に隣接して位置する。
【図２Ａ】本発明による異なる実施形態の図。このヘアトリートメントアプリケータ（１）のこのプレート（１０）の、この実質的に平坦な内部表面（１０１）を図示する。軸Ｙは、このプレート（１０）のこの実質的に平坦な内部表面の中央から延び、接続部（３０）を横断方向に、好ましくは垂直に横切る。図２Ａでは、この実質的に平坦な内部表面（１０１）に沿って、かつこの軸Ｙに沿って延びる最大長さ（Ｌ）を有する、部材（４０）が図示される。
【図２Ｂ】本発明による異なる実施形態の図。このヘアトリートメントアプリケータ（１）のこのプレート（１０）の、この実質的に平坦な内部表面（１０１）を図示する。軸Ｙは、このプレート（１０）のこの実質的に平坦な内部表面の中央から延び、接続部（３０）を横断方向に、好ましくは垂直に横切る。図２Ｂでは、この実質的に平坦な内部表面（１０１）に沿って、かつこの軸Ｙと実質的に平行に延びる最大長さ（Ｌ）を有する部材（４０）が図示される。
【図２Ｃ】本発明による異なる実施形態の図。このヘアトリートメントアプリケータ（１）のこのプレート（１０）の、この実質的に平坦な内部表面（１０１）を図示する。軸Ｙは、このプレート（１０）のこの実質的に平坦な内部表面の中央から延び、接続部（３０）を横断方向に、好ましくは垂直に横切る。図２Ｃでは、この実質的に平坦な内部表面（１０１）に沿って延びるが、この軸Ｙに対して傾いて延びる最大長さ（Ｌ）を有する部材（４０）が図示される。
【図３】本発明によるこのプレート（１０）の実質的に平坦な内部表面（１０１）の図。軸Ｙに垂直であり、この実質的に平坦な内部表面（１０１）に平行な平面（Ｐ１１、Ｐ１２、Ｐ１３、Ｐ１４、及びＰ１５）が、この部材（４０）の最大長さ（Ｌ）を等分する。平面（Ｐ１１〜Ｐ１５）は、このプレート（１０）のこの周囲部（１０３）を横断し、平均距離（Ｄ１）及び角度φを測定する、このプレート（１０）のこの周囲部（１０３）上の１０箇所の位置（１００１〜１０１０）を特定する。
【図４】本発明によるヘアトリートメントアプリケータ（１）の一実施例の断面図。この断面図は、平面（Ｐ１３）に沿ってとられる。このヘアトリートメントアプリケータ（１）は閉じた状態で図示され、断面図は軸Ｙに対して横断方向である。この実施形態では、この外部表面（１０２）もまた、実質的に平坦である。収容部分（２０）は、基部（２０１）、及びリム（２２２）を含む壁（２０２）を含み、この壁は、この収容部分（２０）の開口部（２０３）及び、ヘアトリートメント組成物を収容するための、内部容量（２０４）を画定する。近位基部（４１）、及び末端基部（４２）を有する部材（４０）は、最大高さ（Ｈ）及び最大幅（Ｗ）を含み、この部材（４０）は、このプレート（１０）の実質的に平坦な内部表面（１０１）から突出する。
【図５Ａ】本発明によるトリートメントアプリケータ（１）の一実施形態の断面図。この断面図は、軸Ｙに沿ってとられている。アプリケータ（１）は、開いた状態で図示される。プレート（１０）は、部材（４０）、及び平均距離（Ｄ１）を画定するための２つのストリップ（１１；１２）を含む。
【図５Ｂ】５Ａと同じアプリケータ（１）を図示。しかし、この断面図は、平面Ｐ１３に沿ってとられている。アプリケータ（１）は、開いた状態である。毛髪ストランドの束は、壁（２０２）のリム（２２２）が位置する平面である平面（Ｐ１）上の収容部分（２０）と、部材（４０）を含むこのプレート（１０）との間に、実質的に真っ直ぐに配置される。
【図５Ｃ】図５Ａと同じアプリケータ（１）を図示。しかし、この断面図は、平面Ｐ１３に沿ってとられている。アプリケータ（１）は閉じた状態にあり、それによって、プレート（１０）の実質的に平坦な内部表面（１０１）と、収容部分（２０）の壁（２０２）のリム（２２２）との間の平均距離（Ｄ１）は、本明細書において請求され、このストリップ（１２）の厚さによって画定されるものとなり、この毛髪ストランドの束は、収容部分（２０）の内部で、角度φに曲げられる。区分（Ｓ１）は、内部容量（２０４）の内部の、壁（２０２）のリム（２２２）とこの部材（４０）のこの末端縁部（４４）との間で曲げられる、毛髪ストランドの束の部分である。角度φは、この平面（Ｐ１）と、区分（Ｓ１）との間に形成される角度である。角度φは、対向する区分（ＯＳ）の、隣接する区分（ＡＳ）に対する比率の、三角法の関係の余接である。
【図６】本発明によるヘアトリートメントアプリケータ（１）の一実施形態に関し、着色したカーボポール（商標）９５６溶液が毛髪ストランドの束に適用される場合に、平均毛髪上投薬量（◆）、及び平均均一性（■）が、角度φを変化させることによってどのように変化するかを示す。
【図７】本発明によるヘアトリートメントアプリケータ（１）の一実施形態に関し、ハイライト組成物が毛髪ストランドの束に適用される場合に、平均毛髪上投薬量（◆）及び平均均一性（■）が、角度φを変化させることによってどのように変化するかを示す。
【発明を実施するための形態】
【００２１】
本発明は、本明細書において記載される特徴が、上記の技術的問題を解決するために本発明の範囲内で選択される特定の関係において共に組み合わされた場合に、有する相乗関係によって特徴付けられる。
【００２２】
本発明によるヘアトリートメントアプリケータ（１）は、プレート（１０）、及び収容部分（２０）を含む。このプレート（１０）は、周囲部（１０３）、実質的に平坦な内部表面（１０１）、及び外部表面（１０２）を含み、収容部分（２０）は、基部（２０１）及びこの基部（２０１）から始まって上方に延びる壁（２０２）によって形成される。この壁（２０２）は、この収容部分（２０）の開口部（２０３）及び内部容量（２０４）を画定するリム（２２２）を有する。連続的であり、かつ液体不透過性である部材（４０）が、このプレート（１０）のこの実質的に平坦な内部表面（１０１）から突出する。この部材（４０）は、このプレート（１０）のこの実質的に平坦な内部表面（１０１）に取り付けられる近位基部（４１）、及び縁部（４４）を含む末端基部（４２）を有する。このプレート（１０）及びこの収容部分（２０）は、このアプリケータ（１）が、閉じた状態と開いた状態との間をとり得るように、接続部（３０）によって可動に連結される。閉じた状態では、このプレート（１０）の、この実質的に平坦な内部表面（１０１）は、この収容部分（２０）のこの開口部（２０３）と並置関係にある。開いた状態では、このプレート（１０）の、この実質的に平坦な内部表面（１０１）は、この収容部分（２０）のこの開口部（２０３）と遠位関係にある。この閉じた状態では、この部材（４０）の少なくとも一部が、この収容部分（２０）のこの内部容量（２０４）の内部にある。
【００２３】
機構のこの特定の組み合わせ、及び相互関係を有することにより、毛髪ストランド、好ましくは毛髪ストランドの束の、ヘアトリートメント組成物でのコーティングが、乱雑になることなく、毛髪にヘアトリートメントを過剰に堆積することを避け、均一な方法で達成される。
【００２４】
本発明によるアプリケータ（１）のこのプレート（１０）の実質的に平坦な内部表面（１０１）は軸Ｙを含み、この軸Ｙは、このプレート（１０）のこの実質的に平坦な内部表面（１０１）の中央から延び、実質的に真っ直ぐに延び、この接続部（３０）を横断方向に横切る。この部材（４０）は、好ましくは少なくとも最大長さ（Ｌ）、少なくとも最大高さ（Ｈ）、少なくとも最大幅（Ｗ）を含み、好ましくはこの部材（４０）は、このプレート（１０）のこの実質的に平坦な内部表面（１０１）から、この最大高さ（Ｈ）で、この軸Ｙと直交して突出し、この部材（４０）は、このプレート（１０）のこの実質的に平坦な内部表面（１０１）に沿って、この最大長さ（Ｌ）、及びこの最大幅（Ｗ）で延びる。より好ましくは、この部材（４０）は、この軸Ｙに沿って、及び／又はこれと実質的に平行に延びる。
【００２５】
このヘアトリートメントアプリケータ（１）が閉じた状態であるとき、このプレート（１０）のこの周囲部（１０３）と、この収容部分（２０）のこのリム（２２２）との間の距離（Ｄ１）は、好ましくは約０．５ｍｍ〜約５．０ｍｍ、より好ましくは約０．８ｍｍ〜約４．０ｍｍ、更により好ましくは約１．０ｍｍ〜約３．０ｍｍである。
【００２６】
このヘアトリートメントアプリケータ（１）は、その上に、この収容部分（２０）のこの壁（２０２）の、このリム（２２２）が位置する平面（Ｐ１）を含み、このアプリケータ（１）が閉じた状態にあるとき、このアプリケータ（１）は、この部材（４０）のこの末端基部（４２）の縁部（４４）を、このリム（２２２）に接続することによって形成される少なくとも１つのセグメント（Ｓ１）を更に含み、この平面（Ｐ１）及びこの区分（Ｓ１）は、約１５°〜約５５°、好ましくは約２０°〜約５０°、更により好ましくは約２５°〜約４０°である、少なくとも１つの角度φを形成する。このように画定されるこの角度φは、毛髪ストランド、好ましくは毛髪ストランドの束が、どのくらい曲がるかを示し、区分（Ｓ１）は、アプリケータ（１）が、開いた状態から閉じた状態になったときに、この収容部分（２０）のこの内部容量（２０４）の内部の、この部材（４０）によって曲げられた毛髪ストランドの部分を、測定する。
【００２７】
本発明は、更に、ヘアトリートメント組成物を、毛髪ストランド、好ましくは毛髪ストランドの束に適用するための、ヘアトリートメントアプリケータ（１）の使用に関し、この使用は、この毛髪ストランドを、部材（４０）を含むプレート（１０）と収容部分（２０）との間に実質的に真っ直ぐに配置すること、次に、この収容部分（２０）の内部においてこの毛髪ストランドを、角度φまで曲げることを含み、ここで角度φは約１５°〜約５５°である。
【００２８】
本発明の目的では、毛髪という用語は、生きている毛髪、すなわち、生物上の毛髪と、生きていない毛髪、すなわち、かつら、ヘアピース、又は生きていないケラチン繊維の他の集合体との両方を指す。哺乳類、好ましくはヒトの毛髪が意図される。
【００２９】
本発明の目的のために、用語「毛髪ストランド」とは、単一のケラチン性繊維を意味し、用語「毛髪ストランドの束」とは、複数の、本明細書において示される意味による毛髪ストランドを意味する。
【００３０】
１．ヘアトリートメントアプリケータ
本発明によるこのヘアトリートメントアプリケータ（１）のこのプレート（１０）及びこの収容部分（２０）は、人間工学的な大きさであり、したがっていずれの手にも容易にフィットすることができる。このプレート（１０）の形状は変化し得る。製造が容易であるために、矩形、正方形、円形、楕円形、長円形又はこれらの組み合わせが有用であり得るが、他の形状、特に消費者によって容易に認識されるものもまた、使用され得る。
【００３１】
このプレート（１０）の周囲部（１０３）、及びこの収容部分（２０）のこの壁（２０２）のリム（２２２）は、曲線状であっても、又は鋭くてもよい。これらの形状とは無関係に、好ましくは、このプレート（１０）のこの周囲部（１０３）は、この収容部分（２０）のこのリム（２２２）と実質的に同じ広がりを有する。
【００３２】
このプレート（１０）の、この実質的に平坦な内部表面（１０１）、この外部表面（１０２）、加えてこの収容部分（２０）のこの基部（２０１）及びこの壁（２０２）は、１つ以上の領域を更に含んでもよく、これらの領域は、この実質的に平坦な内部表面（１０１）及び／若しくはこの外部表面（１０２）から、並びに／又はこの基部（２０１）及びこの壁（２０２）からの、視覚的及び／又は触覚的な違いを有する。この視覚的、又は触覚的な違いは、色及び／若しくは濃淡の違い、パターンの違い、マーク、並びに／又はエンボス加工を含む。これらの視覚的又は触覚的な違い、色及び／若しくは濃淡の違い、パターンの違い、マーク、並びに／又はエンボス加工、特に収容部分（２０）内に存在するものは、どこに、及びどのくらい、ヘアトリートメント組成物がヘアトリートメントアプリケータ（１）内に充填されるべきかを示すために提供され得る。
【００３３】
このプレート（１０）のこの内部表面（１０１）は、実質的に平坦であり、一方で、このプレート（１０）のこの外部表面（１０２）、この収容部分（２０）のこの基部（２０１）及びこの壁（２０２）は、独立して実質的に平坦であるか、又は湾曲していてもよい。好ましくは、この収容部分（２０）の基部（２０１）は、実質的に平坦である。この実質的に平坦な内部表面（１０１）は、約２ｃｍ2〜１５０ｃｍ2、好ましくは、約２ｃｍ2〜約７０ｃｍ2、より好ましくは約３ｃｍ2〜約５０ｃｍ2、更により好ましくは、約４ｃｍ2〜約３０ｃｍ2の表面積を有し得る。
【００３４】
このプレート（１０）及び／若しくはこの収容部分（２０）、又はこれらの少なくとも一部は、１つ以上の空洞、１つ以上のＶ若しくはＵ字型の溝、又はこれらの組み合わせを含み得る。この空洞又は溝は、この実質的に平坦な内部表面（１０１）上に、この外部表面（１０２）上に、この基部（２０１）上に、この壁（２０２）上に、又はこれらの組み合わせに、独立して位置し得る。
【００３５】
このプレート（１０）、及びこの収容部分（２０）は、ヘアトリートメント組成物を支持することが可能な、任意の周知の材料又は材料の組み合わせから製造され得る。好適な材料は、ポリオレフィン、例えばポリプロピレン、ポリエチレン又はポリエチレンテレフタレートのようなポリマー樹脂である。使用できる他の材料としては、ポリ塩化ビニル、ポリアミド、アセチル、アクリロニトリルブタジエンスチレン、アクリル、アクリロニトリルスチレンアクリレート、エチレンビニルアルコール、ポリカーボネート、ポリスチレン、シリコーン若しくは熱可塑性エラストマー、適切な場合熱可塑性バルカネート（vulcanate）若しくはコポリマー；可撓性のある柔軟な基材、例えば板紙、金属系の基材及びアルミニウム箔、フィルム状基材、又はこれらの材料の多数の積層若しくは多数の層の組み合わせが挙げられる。
【００３６】
このプレート（１０）及びこの収容部分（２０）の製造方法としては、射出成形、共射出成形、オーバーモルディング、インモルドアセンブリ、圧縮成形、吹込成形、ブリスター型シェルの熱成形若しくは真空成形、及び水平面若しくは垂直面におけるキャリアプラスチック若しくはボード材料上の積層が挙げられるが、これらに限定されない。
【００３７】
接続部（３０）は、このプレート（１０）とこの収容部分（２０）とを可動に連結する。接続部（３０）は、ユーザーの、アプリケータ（１）の制御の認識を向上するために、及びユーザーが、アプリケータ（１）を、いずれかの手を使用して、正確及び容易に各毛髪ストランドの束に導くことを可能にするために、アプリケータ（１）内において必要である。加えて、接続部（３０）は、ユーザーが、各適用後に、このプレート（１０）の位置をこの収容部分（２０）の上へと調節することを必要とせずに、アプリケータ（１）を１つの毛髪ストランドの束から別の束へと動かすことを可能にし、これによって、このプレート（１０）のこの実質的に平坦な内部表面（１０１）を、この開口部（２０３）と一定の並置関係にすることができる。
【００３８】
本発明による、このプレート（１０）とこの収容部分（２０）との間の接続部（３０）は、このヘアトリートメントアプリケータ（１）が、開いた状態から閉じた状態へ移行することを可能にする。図１に図示されるように、このヘアトリートメントアプリケータ（１）が開いた状態にあるとき、このプレート（１０）のこの実質的に平坦な内部表面（１０１）と、この収容部分（２０）のこの壁（２０２）のリム（２２２）との間の角度は、２０°〜２７５°、好ましくは３０°〜１９０°、より好ましくは４０°〜９０°の範囲に及び得る。図４で図示されるように、ヘアトリートメントアプリケータ（１）が閉じた状態にあるとき、このプレート（１０）のこの実質的に平坦な内部表面（１０１）は、この収容部分（２０）のこの開口部（２０３）と並置関係にあり、この部材（４０）の少なくとも一部が、この収容部分（２０）のこの内部容量（２０４）の内部にある。図５の下部に図示されるように、このプレート（１０）のこの実質的に平坦な内部表面（１０１）は、この壁（２０２）のこのリム（２２２）から、平均距離（Ｄ１）を有する。この平均距離（Ｄ１）は、好ましくは約０．５ｍｍ〜約５．０ｍｍ、より好ましくは約０．８ｍｍ〜約４．０ｍｍ、更により好ましくは約１．０ｍｍ〜約３．０ｍｍである。平均距離（Ｄ１）は、以下に記載されるミツトヨ・デジマチック（Mitutoyo Digimatic）キャリパーを使用して決定された。このアプリケータ（１）が、閉じた状態にあり、このプレート（１０）のこの実質的に平坦な内部表面（１０１）が、この収容部分（２０）のこの開口部（２０３）と並置関係にあるときに、ミツトヨ・デジマチック（Mitutoyo Digimatic）キャリパーが、このプレート（１０）の周囲部（１０３）に配置され、このリム（２２２）からの距離が測定された。この工程は、１０箇所の異なる位置で繰り返された。このプレート（１０）のこの周囲部（１０３）上のこれらの１０箇所の異なる位置は、図３に図示されるように、５つの平面（Ｐ１１〜Ｐ１５）上の点１００１〜１０１０であった。平面（Ｐ１１〜Ｐ１５）は、軸Ｙに垂直であり、このプレート（１０）のこの実質的に平坦な内部表面（１０１）に平行であった。これらの５つの平面（Ｐ１１〜Ｐ１５）は、この部材（４０）のこの最大長さ（Ｌ）を等分する。
【００３９】
閉じた状態とは、図５に図示されるように、毛髪ストランド、好ましくは毛髪ストランドの束が、部材（４０）を含むこのプレート（１０）と、この収容部分（２０）との間に実質的に真っ直ぐに位置付けられたときに、この毛髪ストランド、又は毛髪ストランドの束が、このプレート（１０）のこの部材（４０）によってこの収容部分（２０）の内部容量（２０４）の中へ曲げられる状態である。
【００４０】
このプレート（１０）及びこの収容部分（２０）は、この接続部（３０）の周囲を旋回して、開いた状態から閉じた状態へと移行してもよく、一実施形態では、ヘアトリートメントアプリケータ（１）は開いた状態にあり、ユーザーがこのプレート（１０）の外部表面（１０２）に、及びこの収容部分（２０）のこの基部（２０１）に圧力を適用することで、このヘアトリートメントアプリケータ（１）を閉じた状態にする。このプレート（１０）及びこの収容部分（２０）を閉じた状態から開いた状態へと動かして戻すために、このプレート（１０）のこの外側表面（１０２）、及びこの収容部分（２０）のこの基部（２０１）のいずれかが、ユーザーの指のための１つ以上のフィッティング手段を別々に備えてもよく、又は接続部（３０）それ自体が、このプレート（１０）及び収容部分（２０）の最初の向きに、好ましくは跳ね戻りによって、復帰させてもよい。この跳ね戻り特性は、そうでなければユーザーの手及び指を傷付ける恐れがあるので、好ましくは、制御不可能に及び意図せずに生じるべきではない。制御不可能な跳ね戻りは、ヘアトリートメント組成物を、ヘアトリートメントアプリケータ（１）から不注意に排出し、乱雑さを生じる恐れがある。接続部（３０）は、好ましくは、ほとんどの消費者の使用にとって好適な、適用可能な圧力で機能するべきである。
【００４１】
この接続部（３０）の特徴は、この接続部（３０）を製造するために使用される材料の固有の特性であってもよく、又は接続部（３０）それ自体の設計によってもたらされてもよい。接続部（３０）は、好ましくは、数回の適用の間に破断、又は損傷して有用性に影響するべきではない。接続部（３０）は、好ましくは、ユーザーによって適用される圧力に対して過度に抵抗するべきではなく、そうでなければ、ユーザーの手及び指が、繰り返して使用する間に痛む恐れがある。接続部（３０）はまた、過度に弱かったり、又は、ヘアトリートメントアプリケータ（１）における誘導をほとんど、若しくは全くもたらさないようであってはならない。
【００４２】
プレート（１０）及び収容部分（２０）は、ユーザーの手を含む、接続部（３０）のための上記の要件を満たす任意の好適な手段によって、例えば親指及び人差し指によって接続される。一実施形態では、このプレート（１０）、及びこの収容部分（２０）は、１つ以上のヒンジ、好ましくは１つのヒンジによって接続される。より好ましくは、図１に図示されるように、この接続部は、支点（３５）を含む。この支点（３５）は、このプレート（１０）のこの周囲部（１０３）に、及びこの収容部分（２０）のこのリム（２２２）に、隣接して位置する。この１つ以上のヒンジは、「ライブ（live）」射出成形ヒンジ、共射出ヒンジ、オーバーモルドヒンジ、インモルドアセンブリ、板バネ若しくは他のいずれかの適切なバネアセンブリ、ストラップヒンジ、キスカットによって形成された折り目、スコア（score）又はクリース（crease）を含めた、多くの方法で形成することができる。
【００４３】
ある実施形態では、このプレート（１０）及びこの収容部分（２０）の両方が、これらの設計に組み込まれたヒンジの雌部分を有する。ヒンジの雌部分は、このプレート（１０）及びこの第２収容部分（２０）の製造プロセス中に、例えば、射出成形プロセス中に生成される。このプレート（１０）及びこの収容部分（２０）上に生成されたヒンジの両方の雌部分にフィットするように、ピンが設計される。好ましくは矩形の形状のピンが、ポリオレフィン、好ましくはポリプロピレンのようなポリマー樹脂から製造される。このプレート（１０）及びこの収容部分（２０）の雌部分にピンが組み込まれて、ヒンジを生成する。
【００４４】
ある実施形態では、このプレート（１０）及びこの収容部分（２０）の両方が、同じ射出成形金型内部で、例えばポリプロピレンから製造されてもよい。ポリプロピレン製の一体型ヒンジ（living hinge）もまた、このプレート（１０）とこの収容部分（２０）との間に作り出してもよい。破断せずに複数回曲げることのできる一体型ヒンジ（living hinge）を提供するために、ポリプロピレンが使用されてもよい。一体型ヒンジ（living hinge）は、典型的には離型プロセス中に閉じられる。
【００４５】
ある実施形態では、このプレート（１０）及びこの収容部分（２０）の両方が、同一の射出成形金型内部で例えばポリプロピレンから製造されてもよく、またヒンジは、熱可塑性エラストマー、又は熱可塑性加硫物、又は上記に列挙された特性を有するヒンジを提供するために使用できるあらゆる他の材料の共射出、インモルドアセンブリ又はオーバーモルディングによって生成され得る。
【００４６】
２．部材
本発明のヘアトリートメントアプリケータ（１）によるこのプレート（１０）は、少なくとも１つの部材（４０）を含む。この少なくとも１つの部材（４０）は、連続的であり、液体不透過性であって、このプレート（１０）の、この実質的に平坦な内部表面（１０１）から突出する。本発明の目的のために、用語「連続的」とは、部材（４０）が、部材（４０）を想定して構成された、別個の、及び独立したユニットから作製されないことを意味する。したがって、本発明の範囲内において、歯群、歯、毛、及びこれらの組み合わせの構成は、部材（４０）を作製しない。加えて、本発明の目的のために、用語「液体不透過性」は、部材（４０）が、水、有機溶媒、及び複合配合物、例えばヘアトリートメント組成物として本明細書の以下で定義されるものなど、に対して不透過性であることを意味する。
【００４７】
理論に束縛されるものではないが、連続的な部材（４０）をつくるのに十分なほどに接近しない、別個のユニットの構成では、結果としてヘアトリートメント組成物が、これらのユニット間の隙間の内部に隔離されることになると考えられる。同様に、ヘアトリートメント組成物、又はその相を吸収し得る部材（４０）は、これを隔離することがある。一度隔離されると、ヘアトリートメント組成物がユーザーに見えないことがあり、そのためユーザーは、ヘアトリートメントアプリケータ（１）を時期尚早に再充填するように誤って誘導されることがあり、これは結果的に乱雑さを生じる。
【００４８】
図４に図示されるように、この部材（４０）は、近位基部（４１）、及び末端基部（４２）を含む。この近位基部（４１）は、この実質的に平坦な内部表面（１０１）に取り付けられる。この末端基部（４２）は、縁部（４４）を含み、好ましくはこの縁部（４４）は曲線状である。
【００４９】
本発明によるこのヘアトリートメントアプリケータ（１）のこのプレート（１０）のこの実質的に平坦な内部表面（１０１）は、軸Ｙを含む。図２Ａ、２Ｂ及び２Ｃに図示されるように、この軸Ｙは、このプレート（１０）のこの実質的に平坦な内部表面（１０１）の中央から実質的に真っ直ぐに延び、この接続部（３０）を横断方向に横切る。
【００５０】
この部材（４０）は、少なくとも最大高さ（Ｈ）、少なくとも最大幅（Ｗ）、及び少なくとも最大長さ（Ｌ）を有する。この部材（４０）は、好ましくは、このプレート（１０）のこの実質的に平坦な内部表面（１０１）から、最大高さ（Ｈ）で、かつこの軸Ｙに垂直に突出する。図２Ａ、２Ｂ、及び２Ｃに図示されるように、この部材（４０）は、好ましくは、このプレート（１０）のこの実質的に平坦な内部表面（１０１）に沿って、最大長さ（Ｌ）、及び最大幅（Ｗ）で、延びる。この部材（４０）は、図２Ａに図示されるように、その最大長さ（Ｌ）で、この軸Ｙに沿って延びてもよく、又は図２Ｂに示されるように、その最大長さ（Ｌ）は、この軸Ｙと実質的に平行であってもよい。この部材（４０）の最大長さ（Ｌ）は、この軸Ｙに対して横断方向に延びてもよいが、その１つが図２Ｃに図示される、中間的な位置もまた、本発明の範囲内において想到される。この部材（４０）は、好ましくは、この軸Ｙに沿って、及び／又はこれに実質的に平行に延びる。
【００５１】
好ましくは、この最大長さ（Ｌ）は、少なくともこの最大幅（Ｗ）の２倍である。最大長さ（Ｌ）は、好ましくは約２０．０ｃｍ〜約０．２ｃｍ、より好ましくは約１５．０ｃｍ〜約０．３ｃｍ、更により好ましくは約１０．０ｃｍ〜約０．５ｃｍである。最大幅（Ｗ）は、好ましくは約２．５ｃｍ〜約０．０１ｃｍ、より好ましくは約１．０ｃｍ〜約０．０２ｃｍ、更により好ましくは約０．５ｃｍ〜約０．０３ｃｍである。最大高さ（Ｈ）は、好ましくは約５．０ｃｍ〜約０．１ｃｍ、より好ましくは約２．５ｃｍ〜約０．２ｃｍ、更により好ましくは約１．５ｃｍ〜約０．３ｃｍである。
【００５２】
部材（４０）は、平行六面体形状、立方体形状、円筒形状、円錐台、又は角錐台の形状が挙げられるがこれらに限定されない、様々な形状を有し得る。図１に図示される本発明の実施形態では、この部材（４０）は、好ましくは実質的に角錐台の形状を有する。
【００５３】
本明細書で図示されない別の実施形態では、この部材（４０）は、その円形基部を通じ、２つのピンによって、この実質的に平坦な内部表面（１０１）に回転係合した円筒を含み、このプレート（１０）の、この実質的に平坦な内部表面（１０１）から始まる。
【００５４】
このヘアトリートメントアプリケータ（１）が閉じた状態にある場合、この部材（４０）のこの末端基部（４２）は、この収容部分（２０）のこの基部（２０１）と接触せず、その結果、通路が残されて、この毛髪ストランド、好ましくはこの毛髪ストランドの束が、拘束されない。
【００５５】
部材（４０）は、ヘアトリートメント組成物を支持することができる任意の材料、又は材料の組み合わせから、及び液体不透過性の任意の材料から、ヘアトリートメントアプリケータ（１）に伴って、又はこれとは別に、製造され得る。好適な材料は、ポリオレフィン、例えばポリプロピレン、ポリエチレン又はポリエチレンテレフタレートのようなポリマー樹脂である。使用できる他の材料としては、ポリ塩化ビニル、ポリアミド、アセチル、アクリロニトリルブタジエンスチレン、アクリル、アクリロニトリルスチレンアクリレート、エチレンビニルアルコール、ポリカーボネート、ポリスチレン、シリコーン若しくは熱可塑性エラストマー、適切な場合熱可塑性バルカネート（vulcanate）若しくはコポリマー、可撓性のある柔軟な材料、例えば、金属系の基材及びアルミニウム箔、フィルム状基材、又はこれらの材料の多数の積層若しくは多数の層の組み合わせが挙げられる。
【００５６】
部材（４０）の製造方法としては、射出成形、共射出成形、オーバーモルディング、インモルドアセンブリ、圧縮成形、吹込成形、熱成形又は真空成形が挙げられるがこれらに限定されない。
【００５７】
部材（４０）がヘアトリートメントアプリケータ（１）とは別に製造される場合、部材（４０）は、任意の好適な手段によって、このプレート（１０）の内部表面（１０１）に取り付けられてよい。有用な方法は、圧力、超音波力、ラジオ波又は高周波を包含する熱溶接、同時押出された熱活性化接着剤であるが、これらに限定されない。部材（４０）は、両面テープ、熱硬化性樹脂、ホットメルト及びコールドシール、接着若しくは押出積層を包含する、接着剤によってヘアトリートメントアプリケータ（１）に取り付けられてもよい。ベルクロ（Velcro）（登録商標）、クランプ固定、スナップロック、シール・ビーズ、止めピン及び磁性のような機械的なインターロック又はエンタングルメントを使用して、部材（４０）をヘアトリートメントアプリケータ（１）に接着してもよい。
【００５８】
３．実験データ
ヘアトリートメント組成物を、毛髪ストランド、好ましくは毛髪ストランドの束に満足に適用するために、この毛髪ストランドが、第１にはアプリケータ（１）の内部に含まれるヘアトリートメント組成物に接触する必要があり、第２には、この毛髪ストランドと接触したばかりのこのヘアトリートメント組成物がこの毛髪ストランドに適用されるべきであり、第３には、このアプリケータ（１）をこの毛髪ストランドの長さ全体に沿って使用している間に、適用されたばかりのヘアトリートメント組成物がこの毛髪ストランドから除去されるべきではないことを、本発明者らは驚くべきことに見出した。
【００５９】
理論に束縛されるものではないが、ヘアトリートメント組成物を毛髪ストランドに、好ましくは毛髪ストランドの束に適用するために、この毛髪ストランドは、ヘアトリートメントアプリケータ（１）の、部材（４０）を含むプレート（１０）と、収容部分（２０）との間に実質的に真っ直ぐに配置され、次にこの毛髪ストランドは、この部材（４０）によって、角度φで、ヘアトリートメント組成物が予め充填されたこの収容部分（２０）の中に曲げられるものと考えられる。この収容部分（２０）の内部での、この毛髪ストランドの曲げを表す角度φは、以下に記載され、図５Ａ、５Ｂ、及び５Ｃにおいて図示される。図５Ｂの上部に図示されるように、このヘアトリートメント（１）は、その上にこの壁（２０２）のこのリム（２２２）が位置する平面（Ｐ１）を含み、アプリケータ（１）が開いた状態にある間、毛髪ストランドが、このプレート（１０）と、この収容部分（２０）との間に実質的に真っ直ぐに位置付けられ、次に、このアプリケータ（１）は、図５Ｃに図示されるように、閉じた状態にされる。この毛髪ストランドは、この部材（４０）により、この収容部分（２０）のこの内部容量（２０４）の内部で、角度φまで曲げられる。この角度φはしたがって、この平面（Ｐ１）、及び、この内部容量（２０４）の内部の、このリム（２２２）と、この部材（４０）のこの縁部（４４）との間のこの毛髪ストランド、好ましくはこの毛髪ストランドの束の部分である区分（Ｓ１）によって画定される。
【００６０】
毛髪ストランドへの、好ましくは毛髪ストランドの束への、ヘアトリートメント組成物の良好な適用を達成するためには、角度φは、約１５°〜約５５°、好ましくは約２０°〜約５０°、より好ましくは約２５°〜約４０°の範囲に及ぶべきであることを、本発明者らは驚くべきことに見出した。本明細書に記載されるヘアトリートメントアプリケータ（１）が、毛髪ストランドへの、好ましくは毛髪ストランドの束への、ヘアトリートメント組成物の適用を提供し得ることを実証するために、本発明者らは、上記の角度φを変化させることによって平均毛髪上投薬量、及び平均均一性がどのように変化するかを、相互に関連付けた。
【００６１】
正方形のプレート（１０）が、アクリル内で作製され、このプレート（１０）は、図５Ａに図示されるように、長さ及び幅約３５ｍｍ、並びに厚さ約２ｍｍの寸法を有した。長さ約３５ｍｍ、幅約３ｍｍ、及び厚さ約２ｍｍの寸法を有する、アクリルのストリップ（１１）が１つ、この正方形のプレート（１０）の表面上の１つの縁部に沿って配置された。この正方形のプレート（１０）のこの表面は、このとき、この正方形の平面（１０）の実質的に平坦な表面（１０１）であった。別の同一のストリップ（１２）が、アクリルの第１のストリップが配置された、この縁部の反対側の縁部に沿って配置された。停止機構として機能する、２つのアクリルのストリップが、上記のこのプレート（１０）の、この実質的に平坦な内部表面（１０１）の平均距離（Ｄ１）を提供した。軸Ｙは、この正方形のプレート（１０）のこの実質的に平坦な内部表面の中央から実質的に真っ直ぐに延び、両方のアクリルストリップを横断方向に横切る。部材（４０）は、上部プレートと共に成型され、やはりアクリル内で作製された。この部材（４０）は、例えば、表２Ａ及び２Ｂで示される高さをもたらすような寸法を有する。この部材（４０）は、この正方形プレート（１０）のこの実質的に平坦な内部表面（１０１）上で中央に位置し、この部材（４０）は、この軸Ｙに沿って延びる。正方形の収容部分（２０）は、アクリルから作製された。基部（２０１）及び壁（２０２）は、長さ及び幅約２９ｍｍ、並びに高さ約１７ｍｍの内部寸法を有する内部容量（２０４）を画定した。この壁（２０２）のこのリム（２２２）は、幅約３ｍｍであった。正方形プレート（１０）及び正方形の収容部分（２０）は別々に保たれ、正方形の収容部分（２０）には、以下の表１に従って調製されるカーボポール（Carbopol）（商標）９５６（ノベオン（Noveon）から入手可能）溶液が約３．５グラム充填された。カーボポール（Carbopol）（商標）９５６溶液の粘度は、Ｓ５２円錐取り付け具を有するブルックフィールド（Brookfield）ＤＶ−ＩＩ＋粘度計上で決定された。
カーボポール（Carbopol）（商標）９５６溶液の０．５ｍＬのサンプルが、測定の前に、およそ２６．７℃、及び１ｒｐｍで、１分間平衡化され、この際、３つの個別の読取り値の平均は、１ｒｐｍでとられた。
【００６２】
【表１】
2010529875.tif 000003
【００６３】
０．３０グラムの毛髪ストランドの束、約３０．５ｃｍ長さ（コーカシアンライトブラウン−ニューヨーク州バルハラ（Valhalla）のインターナショナル・ヘア・インポーツ・アンド・プロダクツ（International Hair Imports and Products））が、この正方形のプレート（１０）のこの実質的に平坦な内部表面（１０１）が、この正方形の収容部分（２０）の開口部と並置関係になったときに、この毛髪ストランドの束が部材（４０）と垂直であり、停止機構として機能するストリップと平行であるように、この正方形の収容部分（２０）のリム（２２２）上に配置された。正方形のプレート（１０）及び収容部分（２０）は、停止機構として機能するストリップが、正方形の収容部分（２０）のリム（２２２）に接触するところまで来て並置関係になった。このプレート（１０）の実質的に平坦な内部表面（１０１）は、この開口部（２０３）及びこの収容部分（２０）のリム（２２２）と同じ広がりを有し、このプレートは、これが開口部（２０３）及びリム（２２２）を完全かつ正確に被覆するように、収容部分上に置かれる。毛髪ストランドの束が、角度φまで曲げられた。正方形のプレート（１０）、及び正方形の収容部分（２０）を毛髪ストランドの束の上に維持する一方で、毛髪ストランドの束の全体長さが、約３秒かけて引かれた。毛髪ストランドの束の重量が記録された。同じ実験が３度繰り返され、結果が平均化され、毛髪の１グラム当たりに堆積された着色したカーボポール（Carbopol）（商標）９５６溶液が、図６及び表２に、グラムで示された。
【００６４】
角度φは、式（Ｉ）により、三角法で算出された。
【００６５】
【数１】
2010529875.tif 000004
式中、ＯＳは、角度φに対向する区分であり、式中ＡＳは、角度φに隣接する区分である。図５に図示される、この特定の実施形態では、ＯＳは、約１４ｍｍ、ＡＳは約１３ｍｍであり、したがって、式（Ｉ）により角度φは、約４７．１°である。
【００６６】
角度φを算出するか、又は測定するかのいずれかのために、ＣＡＤソフトウェア、又は分度器などの、他の手段が使用され得ることが理解されるべきである。
【００６７】
この部材（４０）の最大高さ（Ｈ）は、この部材（４０）のこの末端基部（４２）から、この収容部分（２０）のこの基部（２０１）への一定の距離を維持するために、約１ｍｍ減らされ、長さ及び幅が約２９ｍｍ、並びに高さ約１ｍｍの正方形のプレートが、収容部分（２０）の基部（２０１）上に配置された。約１８ｍｍ〜約３ｍｍの、この部材（４０）の各最大高さ（Ｈ）に関し、同じ実験が、３度繰り返された。これらのデータは、本明細書で以下の表２ａに示される。
【００６８】
【表２】
2010529875.tif 000005
【００６９】
矩形の形状である第２プレート（１０）が、上記の寸法によって作製されたが、ただし、このプレート（１０）、及び同一のストリップ（１１及び１２）の長さは２９ｍｍであった。矩形の形状である収容部分（２０）もまた、上記の内部寸法によって作製されたが、ただし、このプレート（１０）の長さは２３ｍｍであった。この第２プレート（１０）、及びこの第２収容部分（２０）は、この第２プレート（１０）の２９ｍｍの長さが、この第２収容部分（２０）の２９ｍｍの長さと揃うように、位置合わせされ、別々に保たれた。第２の収容部分（２０）には、以下の表１に従って調製されるカーボポール（Carbopol）（商標）９５６溶液（ノベオン（Noveon）から入手可能）が約１．５８グラム充填された。同じ実験が、上記のこの第２プレート（１０）、及びこの第２収容部分（２０）で繰り返された。データが以下の表２ｂに示され、図６にプロットされる。
【００７０】
【表３】
2010529875.tif 000006
【００７１】
適用の均一性が、根元から毛先（毛束の長さに沿って）；中央から縁部（毛束の幅にわたって）、及び前から後ろ（毛束の表裏両側）に関し、１〜５の評価尺度（１が最も低い均一性）を使用して、視覚的に判断された。これらの評価は、組み合わされて、表２に示される平均均一性をもたらした。
【００７２】
図６は、角度φの関数としての、毛髪１グラム当たりに堆積された、着色したカーボポール（Carbopol）（商標）９５６溶液のグラムでの平均毛髪上投薬量（記号◆で示される）、及び、平均均一性（記号■で示される）を示す。本発明者により、良好なヘアトリートメントの適用は、少なくとも約３の平均均一性と、少なくとも約０．３グラムの、毛髪１グラム当たりの着色したカーボポール（Carbopol）（商標）９５６溶液の平均毛髪上投薬量との組み合わせであると定義された。
【００７３】
角度φが約１５°未満である場合、平均毛髪上投薬量が、毛髪１ｇ当たりの着色したカーボポール（Carbopol）（商標）９５６溶液約０．３グラムを上回っても、平均均一性は約３未満である。したがって、毛髪ストランドの束が、収容部分（２０）の内部において、約１５°未満で曲げられる場合、ヘアトリートメント組成物の、毛髪ストランドの束への適用は乏しく、満足できるものではない。
【００７４】
角度φが、約１５°〜約５５°である場合、着色したカーボポール（Carbopol）（商標）９５６溶液の毛髪ストランドの束への適用は、平均毛髪上投薬量、及び平均均一性の双方が、本明細書において定義される下限を上回るため、満足できるものであり、したがって最善の組み合わせを提供する。
【００７５】
φ約５５°を超える角度に関しては、平均均一性、及び平均毛髪上投薬量は、共に必要とされる目標を下回り、そのため適用は満足できるものではなかった。
【００７６】
同じ実験が、図５に図示される同じアプリケータ（１）で、同じ種類の毛髪で、かつ同じ方法で、ただし着色したカーボポール（Carbopol）（商標）９５６溶液の代わりにハイライト組成物に関して繰り返された。ハイライト組成物が、以下の表３によって調製された。
【００７７】
【表４】
2010529875.tif 000007
【００７８】
ハイライト組成物は、約９．７１グラムの過硫酸塩粉末を、約３５．００グラムの顕色剤と、約１００ｍＬのボトル内で混合することによって調製された。混合は、ボトルを約３０秒間ハンドシェーキングすることによって行われた。
【００７９】
データが、以下の表４に示され、図７にプロットされる。
【００８０】
【表５】
2010529875.tif 000008
【００８１】
ハイライト製品は、約３０℃で、約３０分間、この毛髪ストランドの束上に放置され、水で１分間すすがれ、２４時間風乾された。５１〜１７°の角度をもたらすアプリケータによって処理された、これらの毛髪ストランドの束は、良好で均一な毛髪の明色化を示した。４°のアプリケータで処理された、この毛髪ストランドの束は、良好で均一なハイライトをもたらさなかった。
【００８２】
図７は、平均毛髪上投薬量及び平均均一性について、着色したカーボポール（Carbopol）（登録商標）９５６溶液と同様の傾向を示している。角度φが、約１５°未満である場合、平均毛髪上投薬量が、毛髪１グラム当たりのハイライト組成物で約０．３グラムを大きく上回っても、平均均一性は、約３を下回った。したがって、本発明者らの基準によれば、適用は乏しく、良好ではない。約１５°〜約５５°の角度φに関しては、着色したカーボポール（Carbopol）（商標）９５６溶液について既に示されたように、ハイライト組成物の適用は満足のできるものであるとみなされる。
【００８３】
要約すると、第１に、本明細書において定義される角度φは、平均毛髪上投薬量及び平均均一性と相関し、第２に、特定の範囲の角度φの値のみが、満足のできる結果をもたらし、第３に、この角度φの値の範囲は、適用されるヘアトリートメント組成物の種類とは無関係である。
【００８４】
４．追加的な機構
アプリケータ（１）は、１つ以上の密封手段を更に含んでもよく、好ましくは１つの密封手段（４０１）が、ヘアトリートメントアプリケータ（１）の内部に存在する。図１に図示されるように、この密封手段（４０１）は、この収容部分（２０）内部の、この基部（２０１）上の、壁（２２２）で、この接続部に隣接して位置し得る。この密封手段（４０１）は、この壁（２０２）のこのリム（２２２）上で、この接続部（３０）に隣接して、又は、この実質的に平坦な内部表面（１０１）上で、この接続部（３０）に隣接して位置してもよい。好ましくは、この密封手段（４０１）は、この接続部（３０）の部分である。
【００８５】
密封手段（４０１）は、このプレート（１０）の、この実質的に平坦な内部表面（１０１）が、この収容部分（２０）のこの開口部（２０３）と並置関係になるときに、ヘアトリートメント組成物が接続部（３０）に向って排出されること、及び毛髪がこの接続部（３０）の内部で捕われることを避けるために、提供される。密封手段（４０１）を、収容部分（２０）内の、基部（２０１）上の、壁（２０２）で、接続部（３０）に隣接して有することにより、プレート（１０）が、接続部（３０）の周囲を旋回して収容部分（２０）に向って動くときに、ヘアトリートメント組成物が接続部（３０）それ自体に向って排出されることがある。この密封手段（４０１）の特定の実施形態に関する追加的な利点は、これが、ユーザーが、この収容部分（２０）の内部容量（２０４）の内部において、どこにどのくらいヘアトリートメント組成物が充填されるべきかを理解することを助けるための視覚的補助を含むことである。密封手段（４０１）は、ヘアトリートメント組成物のための障壁として機能し、ヘアトリートメント組成物は、むしろこの収容部分（２０）の内部に留められて、ここで、乱雑状態を避けて毛髪ストランドの束をコーティングするために利用可能となる。
【００８６】
密封手段（４０１）を製造するための有用な材料は、このプレート（１０）を製造するための、本明細書において上記で詳述されたものから選択され得る。使用され得る他の材料としては、適切な場合、ポリウレタン及びポリオレフィンフォーム、不織布、フェルト；可撓性の柔軟な基材、例えば、板紙、金属系の基材若しくはアルミニウム箔、フィルム状基材、又はこれらの材料の多数の積層若しくは多数の層の組み合わせが挙げられる。この密封手段（４０１）は、上記の材料の組み合わせによって製造され得る。
【００８７】
１つ以上の停止機構が、このヘアトリートメントアプリケータ（１）に組み込まれてもよい。停止機構はこの接続部（３０）と協働し、このプレート（１０）のこの実質的に平坦な内部表面（１０１）が、この収容部分（２０）のこの開口部（２０３）と並置関係になったときに、実質的に平坦な内部表面（１０１）と、このリム（２２２）との間の平均距離（Ｄ１）が制御されることを、確実にする。１つ以上の停止機構が、ヘアトリートメント組成物を、この収容部分（２０）のこのリム（２２２）を超えて進ませることを軽減し得る。更に、これは有利なことに、本明細書において記載される、平面（Ｐ１）及び区分（Ｓ１）の間の角度φを維持するのを助け得る。
【００８８】
ある実施形態では、この停止機構は、このプレート（１０）、この収容部分（２０）、及びこの接続部（３０）と同じ製造工程において、同じ又は異なる材料で、製造され得る。ある実施形態では、停止機構は、１つ以上の歯、櫛状構造の歯であり得る。図１に示される一実施形態では、２つの停止機構が、この収容部分（２０）のこの壁（２０１）のこのリム（２２２）上に含まれ、好ましくは、この２つのストッパーは、２つの実質的に同一な半球（４０２；４０３）である。ある他の実施形態では、本明細書では図示されないが、停止機構は、接続部（３０）自体の内部に組み込まれ得る。
【００８９】
停止機構（４０２）を製造するための有用な材料は、適切な場合、このプレート（１０）を製造するために本明細書において上記で詳述されたもの、及びこれらの組み合わせから選択され得る。
【００９０】
ヘアトリートメントが適用されるべき毛髪ストランドを選択するために、指が使用されてもよい。本発明のアプリケータ（１）は、しかしながら、毛髪ストランド選択手段を更に備えてもよい。毛髪の房の選択手段の例は、これに限定されるものではないが、スパイク、フック、鉤針、クリップ又はビーズである。毛髪ストランド選択手段は、このプレート（１０）及び／又はこの収容部分（２０）に組み込まれてもよい。この手段は、また、ペンナイフの刃の場合に起こるように、毛髪ストランド選択手段がこのプレート（１０）及び／又はこの収容部分（２０）に近い位置から遠い位置へと揺動し得るように、スナップ機構を通じてこのプレート（１０）及び／又はこの収容部分（２０）に取り付けられてもよい。毛髪ストランド選択手段はまた、本明細書にて後述されるようなキットの構成要素として、本発明のアプリケータ（１）に別個に提供されてもよい。
【００９１】
本明細書において開示されるアプリケータ（１）は、このプレート（１０）の外部表面（１０２）上及び／又はこの収容部分（２０）のこの基部（２０１）上に把持領域を更に含んでもよい。この把持領域は、把持部を提供するように設計される。これらの把持領域は、ヘアトリートメントアプリケータが製造されるときに、共射出、又はオーバーモルディング技術を使用して製造され得る。有用な材料としては、この密封手段（４０１）の製造のために、本明細書において上記で詳述された材料、及びこれらの組み合わせが挙げられるがこれらに限定されない。
【００９２】
加えて、把持領域は、このプレート（１０）の外部表面（１０２）、及び／又はこの収容部分（２０）のこの基部（２０１）の、エンボス加工、デボス加工、又はコーティングによって形成されてもよい。把持手段は、このプレート（１０）の外部表面（１０２）、及び／又はこの収容部分（２０）のこの基部（２０１）上に存在する空洞であってもよい。最後に、この把持手段は、ユーザーの指に適合するための、締着手段として提供されてもよい。
【００９３】
このプレート（１０）の、この実質的に平坦な内部表面（１０１）、及び／又はこの収容部分（２０）の開口部（２０３）を保護するために、剥離ライナー、又はバリアが存在してもよい。剥離ライナー又はバリアは、剥離可能又は再密封可能であってもよく、また、プラスチック、アルミニウム積層構造物から構成されてもよい。これらの材料の幾つかの例としては、低密度ポリエチレンの積層体、又はアルミニウム箔及びポリエチレンテレフタレートを有するポリ−イソブチレンとポリエチレンのブレンド、又は二軸配向ポリプロピレン剥離可能箔が挙げられ、耐ガス材料、特に過酸化水素を含むヘアトリートメント組成物用のものから作製されてもよく、アルミニウム積層化箔、プラスチック支持体上への金属化アルミニウム、アクラー（Aclar）（登録商標）ポリクロロ−トリフルオロエチレン、ポリ塩化ビニリデン、エチレン−ビニルアルコールコポリマー、シリカ及び酸化アルミニウムが挙げられる。
【００９４】
本発明によるアプリケータ（１）内へのヘアトリートメント組成物の充填を行うための、分配又は充填デバイスを取り付ける、適合する、又は導入するために好適な１つ以上の手段が存在してもよい。この手段の例は、このプレート（１０）並びに／又は、この収容部分（２０）のこの基部（２０１）及び／若しくは壁（２０２）上に存在する、ノズル及び開口部、パウチポケット、又は一方向弁若しくは二方向弁であるが、これらに限定されない。この手段は、アプリケータ（１）に恒久的に接続されてもよく、又は取り外し可能であってもよく、それらは、使い捨て可能又は再生利用可能であってもよく、本明細書にて後述されるようなキットの別個の構成要素として提供されてもよい。
【００９５】
４．使用方法
本発明はまた、毛髪ストランド、好ましくは毛髪ストランドの束を、本発明によるヘアトリートメントアプリケータ（１）に接触させることにより、毛髪を処理する方法にも関する。このヘアトリートメントアプリケータ（１）は、１つ以上のヘアトリートメント組成物で予備充填されてもよいが、好ましくは１つ以上のヘアトリートメント組成物は、この毛髪ストランド、好ましくはこの毛髪ストランドの束と、このアプリケータ（１）との接触の前に、このヘアトリートメントアプリケータ（１）に充填される。
【００９６】
ヘアトリートメント組成物は、任意の手段によって、ヘアトリートメントアプリケータ（１）に充填され得る。一実施形態では、ヘアトリートメント組成物は、ヘアトリートメント組成物を例えばスパチュラ若しくは注射器で適用することによって、圧搾可能なチューブによって、分配ボトルによって、単一若しくは二相ポンプによって、押しのけ容積を生じる単一若しくは二相ピストンによって、サッシェによって、又は他の任意の好適なディスペンサーによって、この収容部分（２０）のこの内部容量（２０４）へと直接的に充填される。上記の、ヘアトリートメント組成物の、ヘアトリートメントアプリケータ（１）への充填を行うための任意の手段が存在する場合、ヘアトリートメント組成物は、この手段、及び／又はこの収容部分（２０）のこの壁（２０２）若しくは基部（２０１）に存在する一方向、又は二方向弁によって、この収容部分（２０）に充填され得る。
【００９７】
ヘアトリートメント組成物は、単一のヘアトリートメント組成物であってもよく、又は毛髪への適用の前に、第２ヘアトリートメント組成物との混合を必要とする第１ヘアトリートメント組成物によって形成されてもよい。好ましくは、この第１及び第２ヘアトリートメント組成物は、混合されて、第３ヘアトリートメント組成物を形成する。この第３のヘアトリートメント組成物は、毛髪ストランド、好ましくは毛髪ストランドの束を、このヘアトリートメントアプリケータ（１）と接触させる前に、このヘアトリートメントアプリケータ（１）に充填される。この第１及び第２ヘアトリートメント組成物は、このヘアトリートメントアプリケータ（１）に充填される前に震盪又は攪拌することによって混合されてもよく、又は静的ミキサーと繋がれた専用の２チャンバ若しくはマルチチャンバ型容器を利用することによって充填手順の間に混合されてもよい。混合はまた、２つ以上のヘアトリートメント組成物を混合することができるか、又は粉末を水若しくは他の溶媒と混合してヘアトリートメント組成物を作製することができる、追加の手段を介在させることによって行われてもよい。介在する手段はまた、混合されたヘアトリートメント組成物をヘアトリートメントアプリケータ（１）に注入又は充填するための特徴を備えることができる。
【００９８】
多数の、又は続いて行われる充填は、このヘアトリートメントアプリケータ（１）をトレイの中に位置付けるか、又はヘアトリートメントアプリケータ（１）をマルチチャンバボトル、チューブ、又は必要とされるヘアトリートメント組成物の単一量、又は全量のいずれかを分配することのできる他のアプリケータに、接続するか又は取り付けることによって、達成され得る。トレイが使用される場合、このトレイは、ヘアトリートメントアプリケータ（１）が位置付けられるか、又は適合される、少なくとも一区画を含む。トレイは、ヘアトリートメントアプリケータ（１）と連通しヘアトリートメント組成物が充填及び／又は貯蔵される、１つ以上の区画を更に含んでもよい。
【００９９】
ヘアトリートメントアプリケータ（１）に充填されるヘアトリートメント組成物の量は、アプリケータの大きさ及び最大容量、並びに所望の最終結果に依存する。ヘアトリートメントアプリケータ（１）は、好ましくは、ヘアトリートメント組成物の量、約０．５グラム〜約２０グラム、より好ましくは約０．７５グラム〜約１７グラム、更により好ましくは約１グラム〜約１０グラムの、ヘアトリートメント組成物を充填され得る。
【０１００】
一度ヘアトリートメントアプリケータ（１）が、１つ以上のヘアトリートメント組成物を充填されると、ユーザーは、このプレート（１０）の外部表面（１０２）、及びこの収容部分（２０）の基部（２０１）を通じて、ヘアトリートメントアプリケータ（１）を、一方の手で、好ましくは親指と人差し指との間で把持する。一度ユーザーが処理される毛髪ストランドを選択すると、この毛髪ストランド、好ましくはこの毛髪ストランドの束は、アプリケータ（１）が開いた状態にある間に、このプレート（１０）と、この収容部分（２０）との間で、実質的に真っ直ぐに位置付けられる。続いて、このアプリケータ（１）は、閉じた状態になる。閉じた状態に維持される間に、ヘアトリートメントアプリケータ（１）は、この毛髪ストランド、好ましくはこの毛髪ストランドの束の長さに沿って引かれ、この１つ以上のヘアトリートメント組成物を適用する。より好ましくは、このヘアトリートメントアプリケータ（１）は、この毛髪ストランドの根元ライン、好ましくは、この毛髪ストランドの束の根元ラインに配置される。また、毛髪の限られた領域のみにヘアトリートメント組成物を適用してもよく、即ち、ユーザーは、ヘアトリートメント組成物で根元ラインのみをコーティングすることができる。二度以上、好ましくは二度繰り返し引いてよい。
【０１０１】
ある実施形態では、第１ヘアトリートメント組成物が、既知の従来的な方法のいずれかによって、前処理、又は後処理として毛髪に適用され、第２ヘアトリートメント組成物が、本発明によるヘアトリートメントアプリケータ（１）によって、適用され得る。例えば、第１ヘアトリートメント組成物は、頭部全体の着色を行うための染色組成物であり、第２ヘアトリートメント組成物は、頭部全体の着色に色の変化を加えるために使用されるハイライト組成物である。あるいは、毛髪の色に変化を加えるために、頭部全体の着色の後に異なる染色組成物が使用され得る。異なる結果を作り出すために、このような多くのヘアトリートメント組成物の組み合わせが使用され得ることを、当業者は理解するだろう。
【０１０２】
最後に、ヘアトリートメント組成物の適用は、ぬれた状態又は乾燥した状態の毛髪上で発生してもよく、任意に、第１及び第２の組成物の毛髪への適用の間に、リンス又はシャンプー工程を含めることができる。
【０１０３】
５．ヘアトリートメント組成物、これらの使用及びキット
本発明によるヘアトリートメントアプリケータ（１）によって適用され得るヘアトリートメント組成物の例が以下に説明される。好ましくは、これらの組成物は、スタイリング組成物、染色組成物、ハイライト組成物、又はこれらの組み合わせからなる群から選択される。これらのヘアトリートメント組成物のそれぞれ、又はこれらの組み合わせが、毛髪ストランド効果をもたらすために、上記のヘアトリートメントアプリケータ（１）と共に使用され得る。好ましくは、この１つ以上のヘアトリートメント組成物は、１ｓ-1において、約１０Ｐａ〜約１６０Ｐａ、より好ましくは約１２Ｐａ〜約１２０Ｐａ、最も好ましくは１５Ｐａ〜８０Ｐａのレオロジーを有する。
【０１０４】
より好ましくは、本発明は、毛髪ストランド、好ましくは毛髪ストランドの束をハイライトするための、ハイライト組成物の、本明細書で請求されるヘアトリートメントアプリケータ（１）での使用に関する。このハイライト組成物は、好ましくは、１ｓ-1において、約１０Ｐａ〜約１６０Ｐａ、より好ましくは約１２Ｐａ〜約１２０Ｐａ、最も好ましくは１５Ｐａ〜８０Ｐａのレオロジーを有する。
【０１０５】
ヘアトリートメント組成物のレオロジーは、ＴＡインスツルメント・アドバンスト・レオメーター（TA Instruments Advanced Rheometer）（ＡＲ）２０００を使用して測定された。計器は、１５．００ｍｍの内部半径を有する共軸円筒基盤、及び１４．００ｍｍの半径、及び４２．００ｍｍの高さを有する標準的な大きさのベーンジオメトリーを備える。このジオメトリーギャップは、４０００マイクロメートルに設定される。２つ以上の配合物で作製されるヘアトリートメント組成物は、３０秒間、サンプルポット内でハンドシェーキングして、これらの様々な配合物を十分に混合することにより、調製される。混合されたヘアトリートメント組成物は、直ちに共軸円筒基盤内に配置され、ベーンの上部がヘアトリートメント組成物によって被覆されるように、標準ベーンジオメトリーはジオメトリーギャップまで下げられる。温度は、２５℃に平衡化され、続いてヘアトリートメント組成物は、剪断速度が約０．０５〜約２００ｓ-1まで対数的に増加するまで、更に３０秒間放置され、１０回当たり７点記録する。全ての段階において、温度は、２５℃に維持される。剪断応力は、１．０ｓ-1で記録され、Ｐａで報告された。
【０１０６】
本発明によるヘアトリートメントアプリケータ（１）と共に使用され得るヘアトリートメント組成物の例は、以下で表５、６、及び７に示される。
【０１０７】
ヘアトリートメント組成物は、既知である、従来使用されている、ないしは別の形でヘアトリートメント組成物に、特に酸化脱色用及び染色組成物に使用するのに有効な成分を更に含んでもよく、これは、顕色剤と染料の配合物（developer dye compounds）、発色剤配合物（coupler dye compounds）、直接染料、医薬品及び化粧品用オレンジ４号、アシッドイエロー、医薬品及び化粧品用赤色２８号、ディスパース赤色１７号、ＨＣ青色１５号、アシッドブルー、酸化剤、還元剤、増粘剤、キレート剤、アモジメチコン、エチレンジアミンジコハク酸（ethylenediamine disuccinic acid）、ｐＨ変性剤及び緩衝剤、アルカリ化剤、炭酸塩イオン源及びラジカルスカベンジャー系、グリシン、アニオン性、カチオン性、非イオン性、両性、若しくは両性イオン性界面活性剤又はそれらの混合物、アニオン性、カチオン性、非イオン性、両性、若しくは両性イオン性ポリマー、疎水性変性ポリマー又はそれらの混合物、香料、分散剤、溶剤、過酸化物安定化剤、キレート剤、湿潤剤、タンパク質及びその誘導体、植物材料（例えば、アロエ、カモミール、及びヘンナ抽出物）、シリコーン（揮発性若しくは不揮発性、変性若しくは未変性）、被膜形成剤、セルロースポリマー及びその誘導体、セラミド、防腐剤、ゲル網目、変色指示薬、並びに乳白剤が挙げられるが、それらに限定されない。好適ないくつかの補助剤が、国際化粧品成分事典及びハンドブック（International Cosmetics Ingredient Dictionary and Handbook）（第８版、化粧品、洗面用化粧品、及び芳香剤協会（The Cosmetics, Toiletry, and Fragrance Association））に列挙されている。特に、第２巻、３項（化学分類）及び４項（機能）は、特定の目的又は複数の目的を達成するための具体的な補助剤を識別するのに有用である。代表的であるが網羅的ではないポリマー及び増粘剤のリストは、「化粧品用のポリマー及び増粘剤百科事典（The Encyclopaedia of Polymers and Thickeners for Cosmetics）」、ロバート・Ｙ・ロックヘッド（Robert Y. Lochhead）ＰｈＤ及びウィリアム・Ｒ・フロン（William R. Fron）編集・監修、南ミシシッピ大学（University of Southern Mississippi）、ポリマー科学学部（Department of Polymer Science）に見出すことができる。
【０１０８】
本発明は更に、キットを含む。このキットは、１つ以上の上記のヘアトリートメントアプリケータ（１）、及び１つ以上の個別に包装されたヘアトリートメント組成物を含む。
【０１０９】
本発明の一実施形態では、この１つ以上の個別に包装されたヘアトリートメント組成物は、第１の個別に包装されたヘアトリートメント組成物、及び第２の個別に包装されたヘアトリートメント組成物を含む。混合されると、この第１及び第２の個別に包装されたヘアトリートメント組成物は、第３ヘアトリートメント組成物を形成する。そのような組成物の例としては、典型的には酸化染料と酸化剤とを含有するいわゆる半永久及び永久着色剤、並びに、酸化剤とアルカリ化剤とを含有し、任意に過硫酸塩を有するハイライト用組成物が挙げられる。好ましくは、この第１の個別に包装された組成物は酸化剤を含み、この第２の個別に包装された組成物はアルカリ化剤を含む。好ましくは、この酸化剤は、過酸化水素である。より好ましくは、この第１及び／又は第２の個別に包装されたヘアトリートメント組成物の少なくとも１つは、過硫酸塩を含む。
【０１１０】
本発明によるキットの一実施形態では、この第１の個別に包装されたヘアトリートメント組成物は、この第１の個別に包装されたヘアトリートメント組成物の３重量％〜１２重量％の過酸化水素を含み、この第２の個別に包装されたヘアトリートメント組成物は粉末又はペーストの形態であり、この第２の個別に包装されたヘアトリートメント組成物は、この第２の個別に包装されたヘアトリートメント組成物の１０重量％〜６０重量％の過硫酸ナトリウム、過硫酸カリウム、過硫酸アンモニウム、又はこれらの組み合わせから選択される過硫酸塩を含む。このキットは、水溶性溶媒中に、その３重量％〜２５重量％のアルカリ化剤を含む、第３の個別に包装されたヘアトリートメント組成物を任意に含む。
【０１１１】
本発明の別の実施形態では、この第１の個別に包装されたヘアトリートメント組成物は、この第１の個別に包装されたヘアトリートメント組成物の１．５重量％〜１２重量％の過酸化水素を含み、この第２の個別に包装されたヘアトリートメント組成物は、この第２の個別に包装されたヘアトリートメント組成物の０．０１重量％〜６重量％の、直接染料、酸化染料前駆体、酸化染料発色剤、及びこれらの混合物から選択される染料を含む。
【０１１２】
追加の個別に包装されたヘアトリートメント組成物が要素キット内に存在してもよく、シャンプー、コンディショナー、又はスタイリング製品を含んでもよい。
【０１１３】
本明細書において以下で、本発明によるヘアトリートメントアプリケータ（１）に充填され得る、ヘアトリートメント組成物のいくつかの例が示される。
【０１１４】
毛髪漂白組成物が、液体形態である相１の配合物（表５の１．１、２．１、３．１、４．１、５．１、６．１、７．１、８．１、又は９．１）のいずれか約４５ｇと、粉末形態である相２の配合物（表５の１．２、２．２、３．２、４．２、５．２、６．２、７．２、８．２、又は９．２）のいずれか約１５ｇとを混合することによって調製された。混合は以下のように達成された：相２の粉末配合物が混合トレイに配置され、相１の液体配合物が粉末の上に注がれた。次に、漂白組成物を形成するために、スパチュラを使用して２つの配合物が共に混合された。漂白組成物が視覚的に均質に見えた時点で、混合は達成された。
【０１１５】
【表６】
2010529875.tif 000009
1カーボポール（商標）９５６、ノベオン（Noveon）社
2ケルトロール（Keltrol）（商標）Ｔ−ＣＰケルコ（Kelco）
3ステアリルアルコールクロダコール（Crodacol）Ｓ−９５、クロダ（Croda）社
4セチルアルコールクロダコール（Crodacol）Ｃ−７０、クロダ（Croda）社
5セテアレス（Cetearth）２５、クレモフォアＡ２５、ＢＡＳＦコーポレーション（BASF Corporation）
6アキューリン（Aculyn）（商標）３３、ローム・アンド・ハース（Rohm and Hass Company）社
7ナトロソール（Natrosol ）（商標）プラスＣＳ等級３３０、ハーキュレス
8サルケア（商標）ＳＣ  ９０、チバ・スペシャルティ・ケミカル（Ciba Specialty Chemicals）社
9カーボポール（商標）ウルトレズ（Ultrez）１０
【０１１６】
別の実施例では、過酸化水素水を含む、表６の組成物（ａ１）３０ｇと、過硫酸塩を含む、表６の組成物（ｂ１）１５ｇとを、スパチュラでトレイ内へと混合することによって漂白組成物が調製された。別の実施例では、漂白組成物は以下のように調製された：粉末形態の、過硫酸塩を含む、表６の構成成分（ｂ２）１０ｇが、表６の構成成分（ａ２）約６０ｇを既に含んだ約１６０ｍＬのボトルの内部へと加えられた。最後に、エタノールアミンを含む、表６の構成成分（ｃ２）約２０ｇがボトルに加えられた。ボトルはノズルを備えたキャップによって閉じられた。混合は、３つの構成成分を含むボトルを、均質な毛髪漂白組成物が形成されるまでハンドシェーキングすることによって達成された。
【０１１７】
【表７−１】
2010529875.tif 000010
【０１１８】
【表７−２】
2010529875.tif 000011
10セテアリルアルコール−クロダコールＣＳ−５０、クロダ（Croda）社
11トリデセス２カルボキサミドＭＥＡ−アミノールＡ１５、花王ケミカル（Kao Chemicals）社
12セテアレス−３０オイムルギン（Eumulgin）（商標）Ｂ３、コグニス（Cognis）社
13ペンタン酸五ナトリウム−ヴェルスネクス（Versenex）８０、ダウ・ケミカル社
14セテアリルアルコール（及び）セテアレス−２０−クロデクスＮ（Crodex N）、クロダ（Croda）社
15グリセリルステアレート−シスロール（Cithrol）ＧＭＳ  ０４００、クロダ（Croda）社
16オレス−１０−ボルポ（Volpo）１０、クロダ（Croda）社
17オレス−２−ボルポ（Volpo）Ｎ２、クロダ（Croda）社
18ステアルアミドプロピルジメチルアミン−インクロミン（Incromine）ＳＢ、クロダ（Croda）社
19アクリレート類／Ｃ１０〜３０アルキルアクリレートクロスポリマー、カルボポール（Carbopol）（商標）ウルトレズ（Ultrez）２０、ノベオン（Noveon）社
20ステアリン酸マグネシウム−ラジアスター（Radiastar）（商標）１１００、オレオン（Oleon）ＮＶ社
21ジエチルヘキシルスルホコハク酸ナトリウム、ゲロポン（Geropon）ＳＳ−０−７５、ローディア（Rhodia）社
22ＶＰ／ＶＡコポリマールビスコル（Luviskol）（商標）ＶＡ７３Ｅ  ＢＡＳＦ社
23ピュアシン（商標）１０００エクソンモービル・ケミカル（ExxonMobil Chemical）社
24ラウリル硫酸ナトリウム−エンピコール（Empicol）ＬＸ３２、オルブライト・アンド・ウィルソン（Albright & Wilson）ＵＫ社
25セテアリルアルコール／ヒドロキシエチルベヘナミドプロピルジモニウムクロリド／ヘキシレングリコール、インクロクァット・ベヘニル（INCROQUAT BEHENYL）ＨＥ、クロダ（Croda）社
26コカミド（Cocamide）ＭＥＡ、アミデクス（Amidex）ＣＭＥ、ローディア（Rhodia）社
27ジリノール酸、エンポール（EMPOL）１００８、コグニス（Cognis）社
28小麦胚芽アンホ二酢酸二ナトリウム、マッカム（Mackam）２Ｗ、マッキンタイア・グループ（McIntyre）社
29リノールアミドプロピルジメチルアミン二量体ジリノレート、ネコン（Necon）Ｌ０−８０、アルゾ／ベーネル・ケミカル（Alzo/Bernal Chemical）社
30ステアルアミドＭＥＡリウォーミッド（MEA Rewomid）Ｓ２８０、デグサケア・アンド・サーフェス・スペシャルティーズ（Degussa Care and Surface Specialities）社
【０１１９】
別の実施例では、表７に示される直接染料を含む染色組成物、配合物（ａ４）は、調製工程を必要とせずに直接使用され得る。
【０１２０】
更なる実施例では、酸化染料を含む染色組成物は、表７の配合物（ａ５）約６０ｇと、表７の配合物（ｂ５）約６０ｇとを、激しく震盪してボトル内で混合することによって調製される。
【０１２１】
【表８】
2010529875.tif 000012
31オレス−１０−ボルポ１０クロダ（Croda）社
32Ｃ１２〜１５パレス−３、ネオドール（Neodol）２５−３、シェル・ケミカル（Shell Chemical）社
33ステアレス−２１−クロマル（Cromul）ＥＭ１２０７、クロダ（Croda）社
34ジリノール酸−エンポール１００８、コグニス（Cognis）社
35コカミド（Cocamide）ＭＥＡ−アミデクス（Amidex）ＣＭＥ、ローディア（Rhodia）社
36ベヘントリモニウムクロリド−インクロクァット・ベヘニル（INCROQUAT BEHENYL）ＴＭＣ−８５、クロダ（Croda）社
37リノールアミドプロピルジメチルアミン二量体ジリノレート−ネコン（Necon）Ｌ０−８０、アルゾ／ベーネル・ケミカル（Alzo/Bernal Chemical）社
38Ｍ−アミノフェノール−ロドル（Rodol）ＥＧジョス（Jos）Ｈ．ローウェンスタイン・アンド・サンズ（Lowenstein & Sons）社
39１−ナフトール−ロドル（Rodol）ＥＲＮ、ジョス（Jos）Ｈ．ローウェンスタイン・アンド・サンズ（Lowenstein & Sons）社
40レゾルシノール（Resorcinol）−ロドル（Rodol）ＥＲＮ、ジョス（Jos）Ｈ．ローウェンスタイン・アンド・サンズ（Lowenstein & Sons）社
41Ｐ−フェニレンジアミン−ロドル（Rodol）Ｄ、ジョス（Jos）Ｈ．ローウェンスタイン・アンド・サンズ（Lowenstein & Sons）社
42Ｐ−アミノフェノールロドルＰベース（Rodol P Base）Ｈ．ローウェンスタイン・アンド・サンズ（Lowenstein & Sons）社
43ＨＣイエロー２号−ベルソール（Velsol）イエロー２、クラリアント（Clariant）社
44ディスパース黒色９−Ｌｏｗａｄｅｎｅブラック９、ジョス（Jos）Ｈ．ローウェンスタイン・アンド・サンズ（Lowenstein & Sons）社
45ＨＣレッド３号−ベルソール（Velsol）レッド３、クラリアント（Clariant）社
46ディスパースバイオレット１−Ｌｏｗａｄｅｎｅバイオレット１、ジョス（Jos）Ｈ．ローウェンスタイン・アンド・サンズ（Lowenstein & Sons）社
47カーボポール９５６、ノベオン（Noveon）社
48ＨＣオレンジ１号−カラレックス（Colorex）ＨＣ０１、ケミカル・コンパウンズ（Chemical Compounds）社
【０１２２】
本発明によるキットは、毛髪ストランドを選択する手段、櫛若しくはブラシ、手袋、穴のあるキャップ、ピンセット、トング、フック、又はこれらの組み合わせなどの追加の構成要素を更に含み得る。
【０１２３】
本発明によるキットは、本発明によるキットの、少なくとも１つの構成要素を使用するための、取扱説明書を更に含み得る。好ましくは、このキットは、このキットの構成要素をどのように充填及び／又は使用するかを指示する、消費者のための取扱説明書を含んでもよく、この取扱説明書は、キットのパッケージ自体、紙材、コンパクトディスク、ＤＶＤ、ウェブサイトのアドレス、若しくは分配手段及び／あるいはヘアトリートメントアプリケータ（１）それ自体など、任意の種類の媒体に記録される。
【０１２４】
本明細書に開示される寸法及び値は、列挙された正確な数値に厳密に限定されるものとして理解されるべきではない。それよりむしろ、特に指定されない限り、こうした各寸法は、列挙された値とその値周辺の機能的に同等の範囲の両方を意味することを意図する。例えば、「４０ｍｍ」として開示された寸法は、「約４０ｍｍ」を意味することを意図する。
【図１】
2010529875.tif 000013
【図２Ａ】
2010529875.tif 000014
【図２Ｂ】
2010529875.tif 000015
【図２Ｃ】
2010529875.tif 000016
【図３】
2010529875.tif 000017
【図４】
2010529875.tif 000018
【図５Ａ】
2010529875.tif 000019
【図５Ｂ】
2010529875.tif 000020
【図５Ｃ】
2010529875.tif 000021
【図６】
2010529875.tif 000022
【図７】
2010529875.tif 000023
【国際調査報告】
2010529875.tif 000024
2010529875.tif 000025
2010529875.tif 000026
2010529875.tif 000027
2010529875.tif 000028